(57)【要約】      （修正有）【課題】新規で、交換用のペン先を必要とせず長期の使用が可能な優れたアイライナー消し具を提供する。 【解決手段】アイライナー消し液タンク９とアイライナー消し液供給部材８を内蔵する筒状容器体１１、前記アイライナー消し液供給部材８からのアイライナー消し液の供給を受けるブラシ４、前記ブラシ４のブラシ固定部材５、前記ブラシ４を覆う着脱可能なキャップ１を含んでなることを特徴とする。【選択図】図２
0003195893.tif 000002
【実用新案登録請求の範囲】
【請求項１】
アイライナー消し液タンクとアイライナー消し液供給部材を内蔵する筒状容器体、前記アイライナー消し液供給部材からのアイライナー消し液の供給を受けるブラシ、前記ブラシのブラシ固定部材、前記ブラシを覆う着脱可能なキャップを含んでなることを特徴とするアイライナー消し具。
【請求項２】
前記ブラシがポリエステルの同方向の集合体のブラシである請求項１記載のアイライナー消し具。
【請求項３】
前記フィラメントは先端に強いテーパー処理が施されている請求項２記載のアイライナー消し具。
【請求項４】
前記ブラシの弾力強度が２ｍｍ変位時、０．０１Ｎ乃至０．０３０Ｎである請求項３記載のアイライナー消し具。
【請求項５】
前記アイライナー消し液の粘度が２．０ｍＰａ・ｓ（１００ｒｐｍ）乃至１０．０ｍＰａ・ｓ（１００ｒｐｍ）であり、表面張力が３５．０ｄｙｎ／ｃｍ乃至５５．０ｄｙｎ／ｃｍである請求項２又は３のいずれか１項に記載のアイライナー消し具。
【考案の詳細な説明】
【技術分野】
【０００１】
本考案は、新規なアイライナー消し具に係り、より詳しくは、化粧具であるアイライナー使用時のアイラインの描き損じの修正に使用される新規な筆ペンタイプの消し筆に関する。
【背景技術】
【０００２】
従来、アイライナーでメイクした筆跡を消去するために用いられている消しペンは、文房具等に使用されているペン先等が用いられている。
【０００３】
このペン先のアイライナー消し具の場合、拭き取られてペン先に含浸されたアイライナー顔料を浸透性のある乾いた繊維、紙（以下、拭き取りペーパーともいう。）を用いてペン先を清浄にする際にアイライナー顔料が完全には拭き取りペーパーに移行せず、ペン先に黒色のアイライナー顔料が残ってしまう。このため、美観上の理由からもペン先のアイライナー消し具は繰り返しの使用には耐えず、ペン先を交換しなくてはならず、交換用のペン先を多数用意しておく必要がある。
【先行技術文献】
【特許文献】
【０００４】
【特許文献１】特開２００２−１５９３３５号公報
【０００５】
特許文献１は、アイライナー消し筆ではなくアイブローの用具である。アイブロー組成物だけでなくアイブロー消し液組成物の成分も数種類開示されている。除去剤の組成物の成分としては、エチレングリコール、プロピレングリコール、などの溶剤を主として、界面活性剤、保湿剤、防腐剤などが配合されている。
【考案の概要】
【考案が解決しようとする課題】
【０００６】
現在、アイライナーでメイクした描き跡を消去するために用いられている消し用具としては、文房具等に使用されているペン先を用いたアイライナー消し具が存在する。このアイライナー消し具は、ペン先をアイライナーの描き跡にこすりつけアイライナーの顔料をあらかじめ含浸された溶解液で溶解しペン先に吸い取り除去するものである。
【０００７】
しかし、このペン先は、掻き取られて移行した顔料がペン先に滞留してしまいがちで、拭き取りペーパーである浸透性のある乾いた繊維、紙などに完全には移行せず、ペン先に顔料が残ってしまうため、繰り返しの長期の使用には耐えず、交換用のペン先を用意しなくてはならないという問題点があった。
【０００８】
本考案は、ポリエステルの一種であるポリブチレンテレフタレート（以下、本明細書においてＰＢＴとも記す。）製のブラシを使用することにより、除去されたアイライナーの顔料がブラシに含浸された後、含浸部分がブラシ内部の中ほどで停止し、ブラシと連通しているアイライナー消し液フィーダーやアイライナー消し液タンクに浸透しない。
【０００９】
更に、顔料を含浸したブラシは、拭き取りペーパーである乾いた繊維の布や吸収性のある紙等に完全に移行することができ、いつも綺麗なブラシが保持できる。
【００１０】
そこで、本考案者等は、新規で、交換用のペン先を必要とせず長期の使用が可能な優れたアイライナー消し具の開発に成功するに至った。
【課題を解決するための手段】
【００１１】
上記の課題を解決するために、以下に示すような手段を講じることとした。すなわち、本考案の第一は、アイライナー消し液タンクとアイライナー消し液供給部材を内蔵する筒状容器体、前記アイライナー消し液供給部材からのアイライナー消し液の供給を受けるブラシ、前記ブラシのブラシ固定部材、前記ブラシを覆う着脱可能なキャップを含んでなることを特徴とするアイライナー消し具に関する。
【００１２】
本考案の第二は、前記ブラシがポリエステル又はナイロンのフィラメントの同方向の集合体のブラシである請求項１記載のアイライナー消し具に関する。
【００１３】
本考案の第三は、前記フィラメントは先端に強いテーパー処理が施されている請求項２記載のアイライナー消し具に関する。
【００１４】
本考案の第四は、前記ブラシの弾力強度が２ｍｍ変位時、０．０１Ｎ乃至０．０３０Ｎである請求項３記載のアイライナー消し具に関する。
【００１５】
本考案の第五は、前記アイライナー消し液の粘度が２．０ｍＰａ・ｓ（１００ｒｐｍ）乃至１０．０ｍＰａ・ｓ（１００ｒｐｍ）であり、表面張力が３５．０ｄｙｎ／ｃｍ乃至５５．０ｄｙｎ／ｃｍである請求項２又は３のいずれか１項に記載のアイライナー消し具に関する。
【００１６】
上記手段によれば、以下のような作用効果が得られる。
【考案の効果】
【００１７】
本考案においては、顔料を含浸したブラシは、拭き取りペーパーである乾いた繊維や紙等に完全に移行でき、いつも見た目にも綺麗なブラシが保持でき、このためブラシを使用の都度取り替える必要がないので、経済性に富む。
【００１８】
又、前記ブラシがポリブチレンテレフタレート製のフィラメントの同方向の集合体のブラシなので、アイライナー消し液の流れは、アイライナー消し液タンクからアイライナー消し液供給部材を経由してブラシまで速やかに浸透し、ブラシから漏れることはない。
【００１９】
このような状態の中、肌上のアイライナーの顔料は、アイライナー消し液で溶解されながらフィラメントに吸着される。
【００２０】
又、前記フィラメントは先端に強いテーパー処理が施されているため、ブラシ先端の強いテーパー部への顔料の吸着に優れるのでアイラインを消す力が大きい。
【００２１】
強いテーパー部に吸着した顔料は、アイライナー消し液が完全に満たされているブラシのフィラメント部分で顔料の移動は止まり、それ以上は逆流しない。
【００２２】
又、前記ブラシの弾力強度が２ｍｍ変位時、０．０１Ｎ乃至０．０３０Ｎのブラシが用いられているので、肌上のアイライナーを擦り取る力が強く、アイラインの消去力に優れている。
【００２３】
又、前記アイライナー消し液の粘度が２．０ｍＰａ・ｓ（１００ｒｐｍ，２ｍｉｎ）乃至１０ｍＰａ・ｓ（１００ｒｐｍ，２ｍｉｎ）であり、表面張力が３５．０ｄｙｎ／ｃｍ乃至５５．０ｄｙｎ／ｃｍであるアイラナー消し液を使用しているので、ブラシ内でのアイライナー消し液の移動がスムーズである。
【図面の簡単な説明】
【００２４】
【図１】本考案に係る一実施形態におけるアイライナー消し具の外観図である。
【図２】本考案に係る別の実施形態におけるアイライナー消し具の断面図である。
【図３】本考案に係る一実施形態におけるアイライナー消し具のメイク除去の動作説明図である。
【図４】本考案に係る一実施形態におけるアイライナー消し具のブラシの汚れ除去の動作説明図である。
【図５】本考案に係る一実施形態におけるブラシの弾力測定のグラフ図である。
【図６】本考案に係る一実施形態におけるアイライナー消し具のブラシの汚れの状態を比較した写真。
【考案を実施するための形態】
【００２５】
以下、本考案を具体化した実施形態について図面を参照しつつ説明する。
【００２６】
本考案の新規なアイライナー消し具に用いる筒状容器の形状は、特に制限はなく、円筒状や多角形筒状が用いられる。
【００２７】
本考案で用いるブラシ固定部材、キャップは、筒状容器の形状に応じた形状としている。これら筒状容器、ブラシ固定部材、キャップの材料としては、汎用のプラスチックや金属などが用いられる。これらの材料は透明でもよいし、不透明としてもよいし、着色したものでも良い。
【００２８】
本考案で用いられる前記ブラシは、アイライナー消し液の組成に適した材質や形状に変更することもできる。本考案では、前記ブラシは、アイライナー消し液をスムーズに供給することができるようフィラメントが同方向に束ねられた集合体として構成されている。フィラメントとしては、綿、麻のような天然繊維、スフのような半天然繊維、プラスチック製繊維などを用いることができるが、アイライナー消し液を充分含浸保持できる材料を選択することが好ましい。本考案において最も好ましいフィラメントとしては、ポリエステル又はナイロンであり、ポリエステルの一種であるポリブチレンテレフタレートが特に好ましい。
【００２９】
本考案で用いられるアイライナー消し液は、前記アイライナー消し液供給タンクからアイライナー消し液供給部材を通って、ブラシに供給される。アイライナー消し液タンクやアイライナー消し液供給部材の材質としては、前記合成樹脂などを挙げることができる。
【００３０】
又、本考案で用いられるアイライナー消し液の成分としては、皮膚刺激緩和剤、濡れ剤、抗菌剤、水溶性高分子、その他添加剤等が用いられる。
【００３１】
図１は、本考案のアイライナー消し具の１実施態様の外観図である。本考案に係るアイライナー消し具は、円筒状で、先端にブラシ４、そのブラシ４を包むようにしてアイライナー消し具に固定するブラシ固定部材５、そのブラシ固定部材５の外側に中軸６、その中軸６の外側に筒状容器体１１が構成されており、キャップ１がブラシ４を覆うようにして、中軸６に着脱自在にかぶせられている。
【００３２】
図２は、本考案に係るアイライナー消し具の別の形態の断面図である。
図２において、筒状容器体１１の内部に設けられたタンク９にはアイライナー消し液が充填されており、中軸６内のアイライナー消し液供給部材８の端部はブラシ４の中に挿入されてタンク９内のアイライナー消し液がブラシ４に浸み出す構造になっている。
【００３３】
前記アイライナー消し液の組成物としては、従来から使用されている組成物を多価アルコールや水などの溶媒により、適当な粘度に調整して使用することが好ましい。本考案においては好ましくは、アイライナー消し液の粘度は２．０ｍＰａ・ｓ（１００ｒｐｍ，２ｍｉｎ）乃至１０ｍＰａ・ｓ（１００ｒｐｍ，２ｍｉｎ）のものが好ましく用いられる。粘度が２．０ｍＰａ・ｓ（１００ｒｐｍ，２ｍｉｎ）未満の場合はアイライナー消し液がサラサラしすぎて拭き取られた顔料が吸い上げられすぎ好ましくない。
又粘度が、１０．０ｍＰａ・ｓ（１００ｒｐｍ，２ｍｉｎ）より大きければ粘ついて使用感が悪くなる。又、表面張力は３５．０ｄｙｎ／ｃｍ乃至５５．０ｄｙｎ／ｃｍの範囲の表面張力が使用に適している。
【００３４】
アイライナー消し液の組成は、アイライナー組成物の被膜形成成分の種類によってその組成の適切さが異なってくるが、要はアイライナー組成物中の被膜形成成分を溶解除去できる組成であれば良く、この目的にかなう組成であれば、とくに制約はない。
【００３５】
たとえば、エチレングリコールなどの被膜形成成分に対する溶剤を主成分とし、これに界面活性剤、保湿剤、防腐剤などを配合することにより、アイライナー消し液の組成物とすることができる。
【００３６】
アイライナー消し液の組成物としては、乾燥が速く、使用感がよく、こすっても色落ちがないものを用いる必要がある。
【００３７】
次に図３、図４を参照して本考案のアイライナー消し具における、アイライナーメイク除去の動作と、ブラシの汚れ除去の動作の説明をする。
【００３８】
アイライナーメイク除去の動作と、ブラシの汚れ除去の動作については、科学的に明確に解明されているとはいえないが、本考案者等は次のとおりの動作であろうと推定する。
【００３９】
（１）アイライナーメイク除去の動作
【００４０】
図３において、ブラシの1本1本のフィラメントは、先端に強いテーパーが形成され、弱いテーパー部４１は、1本1本が弱いテーパーを有する円筒形状でフィラメント同士が密着している。アイライナー消し液の流れは、アイライナー消し液タンクからアイライナー消し液供給部材を経由してブラシの先端まで浸透し、ブラシから漏れることなく、均衡状態を保っている。
【００４１】
このような状態の中、消去部の肌４３の上の顔料４４は、アイライナー消し液で溶解されながらフィラメントに吸着される。
強いテーパー部４２に吸着した顔料は、消し液が完全に満たされているブラシの弱いテーパー部４１で止まり、それ以上は逆流しない。
【００４２】
（２）ブラシの汚れ除去の動作
【００４３】
図４において、顔料４４を含浸したブラシの1本1本のフィラメントは、拭き取りペーパー用の乾いた繊維や紙４５の上で擦ることによって、強いテーパーのフィラメント1本1本の先端のすき間が開閉し、毛細管力が増大し、アイライナー消し液とともに顔料４４が繊維や紙に移行する。
【実施例】
【００４４】
以下、図面を参照して更に本考案を説明するが、本考案はこれにより何等限定されるものではない。
【００４５】
実施例１  アイライナー消し具の成形、組立て
図１、図２記載の概略構造をもつアイライナー消し具をポリプロピレンを用いて本製品の各部のそれぞれを成形し、組み立てた。
【００４６】
前記フィラメントは１本の繊維（直径約０．１５ｍｍ）のＰＢＴを同方向に束ねて円錐形に形成した束の後端を熱着し、約２００本から４００本束ねて、直径２．０ｍｍのブラシを形成し、１個のブラシの全長が１５ｍｍに加工したものが用いられる。
【００４７】
図２に示すタンク９には、下記処方１の８種類のアイライナー消し液組成物の内、ブラシ吸着・浄化の性能の良いものＮＯ．５を選び収容させた。
【表１】
0003195893.tif 000003
【００４８】
実施例２  ブラシ筆先の強度試験
【００４９】
実施例１で製作したブラシを用いて、ブラシの材質をＰＢＴ、文房具に用いられている筆ペンのポリエステル、ナイロンのものを比較した。筆の軸を水平から６０度の角度で垂直方向０〜２ｍｍまで押し付けたときの弾力（負荷）を測定した結果を図５のグラフに示す。
【００５０】
この結果、ＰＢＴ製のブラシはポリエステルやナイロンに比べて弾力が強いという結果が得られた。
【００５１】
実施例３  ブラシへ筆先の顔料吸着性
【００５２】
本考案のアイライナー消し具に使用されるブラシの材質の相違によるアイライナーブラシに吸着する顔料の様子をＰＢＴ、従来の文房具等のペン先に使用されているポリエステル、ナイロンで比較した。
その結果を図６に示す。ＰＢＴブラシの場合、従来のポリエステルやナイロンに比べて顔料の吸着が優れていた。
【００５３】
実施例４  粘度測定
実施例１の表１のアイライナー消し液の粘度測定は、東機産業（株）製B型粘度計：TVB-10Mを使用して実施した。回転速度：100rpm、回転時間：2min、ローターNo. 19番で測定した。測定結果を表１に示す。
【００５４】
実施例５  表面張力測定
実施例１の表１のアイライナー消し液の表面張力の測定は、協和界面科学（株）製  DY-500を使用して実施した。計算式は、Wilhelmy法（プレート法、垂直板法）により、下記計算式に基づいた。
γ=Fcosθ/L  
γ：表面張力(mN/m)
F:測定力（mN)
L:測定子の周囲長(m)
θ：測定子と液体資料の接触角
測定結果を表１に示した。
【産業上の利用可能性】
【００５５】
本考案のアイライナー消し具は、化粧用具として利用可能である。
【符号の説明】
【００５６】
１    キャップ
２    リターンＳＰ
３    インナーキャップ
４    ブラシ
４１  弱いテーパー部  
４２  強いテーパー部
４３  消去部の肌
４４  顔料
４５  乾いた繊維や紙
５    ブラシ固定部材
６    中軸
７  アジャスター
８  アイライナー消し液供給部材
９  アイライナー消し液タンク
１０  筒状容器体
【図１】
0003195893.tif 000004
【図２】
0003195893.tif 000005
【図３】
0003195893.tif 000006
【図４】
0003195893.tif 000007
【図５】
0003195893.tif 000008
【図６】
0003195893.tif 000009
【手続補正書】
【提出日】平成26年11月28日(2014.11.28)
【手続補正１】
【補正対象書類名】実用新案登録請求の範囲
【補正対象項目名】全文
【補正方法】変更
【補正の内容】
【実用新案登録請求の範囲】
【請求項１】
アイライナー消し液タンクとアイライナー消し液供給部材を内蔵する筒状容器体、前記アイライナー消し液供給部材からのアイライナー消し液の供給を受けるブラシ、前記ブラシのブラシ固定部材、前記ブラシを覆う着脱可能なキャップを含んでなることを特徴とするアイライナー消し具。
【請求項２】
前記ブラシがポリエステル又はナイロンのフィラメントの同方向の集合体のブラシである請求項１記載のアイライナー消し具。
【請求項３】
前記フィラメントは先端に強いテーパー処理が施されている請求項２記載のアイライナー消し具。
【請求項４】
前記ブラシの弾力強度が２ｍｍ変位時、０．０１Ｎ乃至０．０３０Ｎである請求項３記載のアイライナー消し具。
【請求項５】
前記アイライナー消し液の粘度が２．０ｍＰａ・ｓ（１００ｒｐｍ）乃至１０．０ｍＰａ・ｓ（１００ｒｐｍ）であり、表面張力が３５．０ｄｙｎ／ｃｍ乃至５５．０ｄｙｎ／ｃｍである請求項２又は３のいずれか１項に記載のアイライナー消し具。